(57)【要約】【課題】テレビジョン装置と接続可能な記録再生装置において、番組に挿入されたＣＭが、同時にテレビジョン装置で視聴されているか、録画後に視聴された場合に限り、ＣＭのスキップ再生や、ＣＭのみの削除を可能とする。【解決手段】記録再生装置２０は、番組本編の番組信号と該番組信号に挿入されるＣＭ信号とを含む第１のＴＶ放送信号を受信するテレビジョン装置１０と接続可能とし、記録用受信部２２，動作制御部２３，記録部２４を備える。動作制御部２３は、記録用受信部２２で受信される第２のＴＶ放送信号が番組信号あるいはＣＭ信号のいずれであるかを判定し、ＣＭ信号の場合、テレビジョン装置１０に対して受信中の第１のＴＶ放送信号のチャンネルを問い合わせ、その結果、第１のＴＶ放送信号と第２のＴＶ放送信号のチャンネルが異なる場合、前記ＣＭ信号を記録部２４に記録し、両者のチャンネルが同一の場合、前記ＣＭ信号を記録しない。【選択図】図１
2006165606.tif 000002
【特許請求の範囲】
【請求項１】
番組本編の番組信号と、該番組信号に挿入されるコマーシャルメッセージ（ＣＭ）信号とを含む第１のテレビジョン放送信号を受信するテレビジョン装置と接続可能な記録再生装置の記録再生方法において、該記録再生装置が、番組本編の番組信号と該番組信号に挿入されるＣＭ信号とを含む第２のテレビジョン放送信号を受信するステップと、該受信した第２のテレビジョン放送信号が番組信号あるいはＣＭ信号のいずれであるかを判定するステップと、ＣＭ信号と判定された場合、前記テレビジョン装置に対して該テレビジョン装置で受信している第１のテレビジョン放送信号のチャンネルを問い合わせるステップと、該問い合わせの結果に応じて前記第２のテレビジョン放送信号を記録手段に記録するステップとを有し、前記第１のテレビジョン放送信号のチャンネルが前記第２のテレビジョン放送信号のチャンネルと異なる場合、前記第２のテレビジョン放送信号に含まれるＣＭ信号を前記記録手段に記録し、同一の場合、前記第２のテレビジョン放送信号に含まれるＣＭ信号を記録しないことを特徴とする記録再生装置の記録再生方法。
【請求項２】
前記第１のテレビジョン放送信号のチャンネルが前記第２のテレビジョン放送信号のチャンネルと同一の場合、前記第１のテレビジョン放送信号に含まれるＣＭ信号をユーザが視聴していることを確認するための画面を前記テレビジョン装置に表示させ、ユーザからの視聴確認がない場合、前記第２のテレビジョン放送信号に含まれるＣＭ信号を前記記録手段に記録し、視聴確認があった場合、前記第２のテレビジョン放送信号に含まれるＣＭ信号を記録しないことを特徴とする請求項１に記載の記録再生装置の記録再生方法。
【請求項３】
前記第２のテレビジョン放送信号は、ＣＭ信号の有効期限に関する情報を含み、前記第１のテレビジョン放送信号のチャンネルが前記第２のテレビジョン放送信号のチャンネルと同一の場合、前記ＣＭ信号の有効期限が経過しているかどうかを判断し、前記有効期限が経過していない場合、前記第２のテレビジョン放送信号に含まれるＣＭ信号を前記記録手段に記録し、前記有効期限が経過している場合、前記第２のテレビジョン放送信号に含まれるＣＭ信号を記録しないことを特徴とする請求項１に記載の記録再生装置の記録再生方法。
【請求項４】
前記記録手段に記録されたＣＭ信号の有効期限をカウントし、その有効期限が経過した後に、前記ＣＭ信号を前記記録手段から削除することを特徴とする請求項３に記載の記録再生装置の記録再生方法。
【請求項５】
前記第２のテレビジョン放送信号は、ＣＭ信号の広告回数に関する情報を含み、前記第１のテレビジョン放送信号のチャンネルが前記第２のテレビジョン放送信号のチャンネルと同一の場合、前記ＣＭ信号の広告回数が前記記録再生装置の前記ＣＭ信号の受信回数を超えているかどうかを判断し、前記受信回数が前記広告回数以下の場合、前記第２のテレビジョン放送信号に含まれるＣＭ信号を前記記録手段に記録し、前記受信回数が前記広告回数を超えている場合、前記第２のテレビジョン放送信号に含まれるＣＭ信号を記録しないことを特徴とする請求項１に記載の記録再生装置の記録再生方法。
【請求項６】
前記記録手段に記録されたＣＭ信号の再生回数をカウントし、該再生回数が前記広告回数になった後に、前記ＣＭ信号を前記記録手段から削除することを特徴とする請求項５に記載の記録再生装置の記録再生方法。
【請求項７】
前記記録手段に記録された未視聴のＣＭ信号の削除処理がユーザ操作に従って選択された際に、前記未視聴のＣＭ信号が挿入されている番組信号も併せて前記記録手段から削除することを特徴とする請求項１乃至６のいずれか１に記載の記録再生装置の記録再生方法。
【請求項８】
番組本編の番組信号と、該番組信号に挿入されるコマーシャルメッセージ（ＣＭ）信号とを含む第１のテレビジョン放送信号を受信するテレビジョン装置と接続可能な記録再生装置の記録再生方法において、該記録再生装置が、番組本編の番組信号と該番組信号に挿入されるＣＭ信号とを含む第２のテレビジョン放送信号を受信するステップと、該受信した第２のテレビジョン放送信号が番組信号あるいはＣＭ信号のいずれであるかを判定するステップと、ＣＭ信号と判定された場合、前記テレビジョン装置に対して該テレビジョン装置で受信している第１のテレビジョン放送信号のチャンネルを問い合わせるステップと、該問い合わせの結果に応じて前記第２のテレビジョン放送信号を記録手段に記録するステップとを有し、前記第１のテレビジョン放送信号のチャンネルが前記第２のテレビジョン放送信号のチャンネルと異なる場合、前記第２のテレビジョン放送信号に含まれるＣＭ信号と共に、該ＣＭ信号のスキップ再生を禁止するためのＣＭスキップ禁止情報を前記記録手段に記録し、同一の場合、前記第２のテレビジョン放送信号に含まれるＣＭ信号を前記記録手段に記録することを特徴とする記録再生装置の記録再生方法。
【請求項９】
前記第１のテレビジョン放送信号のチャンネルが前記第２のテレビジョン放送信号のチャンネルと同一の場合、前記第１のテレビジョン放送信号に含まれるＣＭ信号をユーザが視聴していることを確認するための画面を前記テレビジョン装置に表示させ、ユーザからの視聴確認がない場合、前記第２のテレビジョン放送信号に含まれるＣＭ信号と共に、該ＣＭ信号のスキップ再生を禁止するためのＣＭスキップ禁止情報を前記記録手段に記録し、視聴確認があった場合、前記第２のテレビジョン放送信号に含まれるＣＭ信号を前記記録手段に記録することを特徴とする請求項８に記載の記録再生装置の記録再生方法。
【請求項１０】
前記ＣＭスキップ禁止情報が付与されたＣＭ信号を再生した後に、該ＣＭ信号のＣＭスキップ禁止情報をＣＭスキップ可能に変更し、次回再生時から、前記ＣＭスキップ禁止情報が変更されたＣＭ信号をスキップ再生することを特徴とする請求項８又は９に記載の記録再生装置の記録再生方法。
【請求項１１】
前記第２のテレビジョン放送信号は、ＣＭ信号の有効期限に関する情報を含み、前記第１のテレビジョン放送信号のチャンネルが前記第２のテレビジョン放送信号のチャンネルと同一の場合、前記ＣＭ信号の有効期限が経過しているかどうかを判断し、前記有効期限が経過していない場合、前記第２のテレビジョン放送信号に含まれるＣＭ信号と共に、該ＣＭ信号のスキップ再生を禁止するためのＣＭスキップ禁止情報を前記記録手段に記録し、前記有効期限が経過している場合、前記第２のテレビジョン放送信号に含まれるＣＭ信号を前記記録手段に記録することを特徴とする請求項８に記載の記録再生装置の記録再生方法。
【請求項１２】
前記記録手段に記録されたＣＭ信号の有効期限をカウントし、その有効期限が経過した後に、前記ＣＭ信号のＣＭスキップ禁止情報をＣＭスキップ可能に変更し、次回再生時から、前記ＣＭスキップ禁止情報が変更されたＣＭ信号をスキップ再生することを特徴とする請求項１１に記載の記録再生装置の記録再生方法。
【請求項１３】
前記第２のテレビジョン放送信号は、ＣＭ信号の広告回数に関する情報を含み、前記第１のテレビジョン放送信号のチャンネルが前記第２のテレビジョン放送信号のチャンネルと同一の場合、前記ＣＭ信号の広告回数が前記記録再生装置の前記ＣＭ信号の受信回数を超えているかどうかを判断し、前記受信回数が前記広告回数以下の場合、前記第２のテレビジョン放送信号に含まれるＣＭ信号と共に、該ＣＭ信号のスキップ再生を禁止するためのＣＭスキップ禁止情報を前記記録手段に記録し、前記受信回数が前記広告回数を超えている場合、前記第２のテレビジョン放送信号に含まれるＣＭ信号を前記記録手段に記録することを特徴とする請求項８に記載の記録再生装置の記録再生方法。
【請求項１４】
前記記録手段に記録されたＣＭ信号の再生回数をカウントし、該再生回数が前記広告回数になった後に、前記ＣＭ信号のＣＭスキップ禁止情報をＣＭスキップ可能に変更し、次回再生時から、前記ＣＭスキップ禁止情報が変更されたＣＭ信号をスキップ再生することを特徴とする請求項１３に記載の記録再生装置の記録再生方法。
【請求項１５】
前記ＣＭスキップ禁止情報が付与されたＣＭ信号のスキップ処理がユーザ操作に従って選択された際に、前記ＣＭスキップ禁止情報が付与されたＣＭ信号をその先頭位置から再生することを特徴とする請求項８乃至１４のいずれか１に記載の記録再生装置の記録再生方法。
【請求項１６】
番組本編の番組信号と、該番組信号に挿入されるコマーシャルメッセージ（ＣＭ）信号とを含む第１のテレビジョン放送信号を受信するテレビジョン装置と接続可能な記録再生装置において、該記録再生装置は、番組本編の番組信号と該番組信号に挿入されるＣＭ信号とを含む第２のテレビジョン放送信号を受信する手段と、該受信した第２のテレビジョン放送信号が番組信号あるいはＣＭ信号のいずれであるかを判定する手段と、ＣＭ信号と判定された場合、前記テレビジョン装置に対して該テレビジョン装置で受信している第１のテレビジョン放送信号のチャンネルを問い合わせる手段と、該問い合わせの結果に応じて前記第２のテレビジョン放送信号を記録手段に記録する手段とを有し、前記第１のテレビジョン放送信号のチャンネルが前記第２のテレビジョン放送信号のチャンネルと異なる場合、前記第２のテレビジョン放送信号に含まれるＣＭ信号を前記記録手段に記録し、同一の場合、前記第２のテレビジョン放送信号に含まれるＣＭ信号を記録しないことを特徴とする記録再生装置。
【請求項１７】
番組本編の番組信号と、該番組信号に挿入されるコマーシャルメッセージ（ＣＭ）信号とを含む第１のテレビジョン放送信号を受信するテレビジョン装置と接続可能な記録再生装置において、該記録再生装置は、番組本編の番組信号と該番組信号に挿入されるＣＭ信号とを含む第２のテレビジョン放送信号を受信する手段と、該受信した第２のテレビジョン放送信号が番組信号あるいはＣＭ信号のいずれであるかを判定する手段と、ＣＭ信号と判定された場合、前記テレビジョン装置に対して該テレビジョン装置で受信している第１のテレビジョン放送信号のチャンネルを問い合わせる手段と、該問い合わせの結果に応じて前記第２のテレビジョン放送信号を記録手段に記録する手段とを有し、前記第１のテレビジョン放送信号のチャンネルが前記第２のテレビジョン放送信号のチャンネルと異なる場合、前記第２のテレビジョン放送信号に含まれるＣＭ信号と共に、該ＣＭ信号のスキップ再生を禁止するためのＣＭスキップ禁止情報を前記記録手段に記録し、同一の場合、前記第２のテレビジョン放送信号に含まれるＣＭ信号を前記記録手段に記録することを特徴とする記録再生装置。
【発明の詳細な説明】
【技術分野】
【０００１】
本発明は、記録再生装置の記録再生方法及び記録再生装置、より詳細には、番組に挿入されているＣＭ（コマーシャルメッセージ）を視聴者に確実に視聴させるための記録再生装置の記録再生方法及び記録再生装置に関する。
【背景技術】
【０００２】
従来、記録再生装置等により録画された番組を視聴する場合、視聴者にとっては録画番組で同じＣＭを何度も見るのは煩わしく、ＣＭ部分をスキップしてしまうことが多い。一方、ＣＭの提供会社やＣＭを製作する広告業者等にとっては、一度も視聴されていないＣＭが録画番組でスキップ再生されてしまうと、十分な広告効果を得られないという問題がある。
【０００３】
これに対して、例えば、特許文献１には、番組本編部とＣＭ部とを判断するＣＭ判断部と、ＣＭ部分である旨のＣＭ識別情報を付加して記録するディスク記録部と、再生時にＣＭ部分が正しく再生されたかを記録し、消去時にＣＭ部分が正しく再生されていなければ記録番組を消去できなくする再生／消去制御部とを備え、番組再生中に視聴者がＣＭ部分をスキップした場合に、ディスク記録部から番組を消去できない、すなわち、後からでも視聴者に必ずＣＭ部分を視聴させることができるようにした情報記録再生装置が開示されている。
【特許文献１】特開２００１−２６６４８２号公報
【発明の開示】
【発明が解決しようとする課題】
【０００４】
上記特許文献１に記載の発明は、一度録画された番組について、過去にＣＭ部分が正しく再生された実績があるかどうかにより、ＣＭ部分の消去の可否を判断しているが、テレビジョン装置と接続された記録再生装置において、記録再生装置で録画中の番組をテレビジョン装置で同時に視聴されている場合については考慮されていない。すなわち、番組中に挿入されているＣＭがテレビジョン装置で同時に視聴されているかどうかに応じて、記録再生装置に当該ＣＭを録画するかどうかを判定することはできない。
【０００５】
本発明は、上述のごとき実情に鑑みてなされたものであり、テレビジョン装置と接続可能な記録再生装置において、番組に挿入されたＣＭ部分が、同時にテレビジョン装置で視聴されているか、録画後に視聴された場合に限り、ＣＭ部分のスキップ再生や、ＣＭ部分のみの削除を可能とすること、を目的としてなされたものである。
【課題を解決するための手段】
【０００６】
上記課題を解決するために、本発明の第１の技術手段は、番組本編の番組信号と、該番組信号に挿入されるコマーシャルメッセージ（ＣＭ）信号とを含む第１のテレビジョン放送信号を受信するテレビジョン装置と接続可能な記録再生装置の記録再生方法において、該記録再生装置が、番組本編の番組信号と該番組信号に挿入されるＣＭ信号とを含む第２のテレビジョン放送信号を受信するステップと、該受信した第２のテレビジョン放送信号が番組信号あるいはＣＭ信号のいずれであるかを判定するステップと、ＣＭ信号と判定された場合、前記テレビジョン装置に対して該テレビジョン装置で受信している第１のテレビジョン放送信号のチャンネルを問い合わせるステップと、該問い合わせの結果に応じて前記第２のテレビジョン放送信号を記録手段に記録するステップとを有し、前記第１のテレビジョン放送信号のチャンネルが前記第２のテレビジョン放送信号のチャンネルと異なる場合、前記第２のテレビジョン放送信号に含まれるＣＭ信号を前記記録手段に記録し、同一の場合、前記第２のテレビジョン放送信号に含まれるＣＭ信号を記録しないことを特徴としたものである。
【０００７】
第２の技術手段は、第１の技術手段において、前記第１のテレビジョン放送信号のチャンネルが前記第２のテレビジョン放送信号のチャンネルと同一の場合、前記第１のテレビジョン放送信号に含まれるＣＭ信号をユーザが視聴していることを確認するための画面を前記テレビジョン装置に表示させ、ユーザからの視聴確認がない場合、前記第２のテレビジョン放送信号に含まれるＣＭ信号を前記記録手段に記録し、視聴確認があった場合、前記第２のテレビジョン放送信号に含まれるＣＭ信号を記録しないことを特徴としたものである。
【０００８】
第３の技術手段は、第１の技術手段において、前記第２のテレビジョン放送信号は、ＣＭ信号の有効期限に関する情報を含み、前記第１のテレビジョン放送信号のチャンネルが前記第２のテレビジョン放送信号のチャンネルと同一の場合、前記ＣＭ信号の有効期限が経過しているかどうかを判断し、前記有効期限が経過していない場合、前記第２のテレビジョン放送信号に含まれるＣＭ信号を前記記録手段に記録し、前記有効期限が経過している場合、前記第２のテレビジョン放送信号に含まれるＣＭ信号を記録しないことを特徴としたものである。
【０００９】
第４の技術手段は、第３の技術手段において、前記記録手段に記録されたＣＭ信号の有効期限をカウントし、その有効期限が経過した後に、前記ＣＭ信号を前記記録手段から削除することを特徴としたものである。
【００１０】
第５の技術手段は、第１の技術手段において、前記第２のテレビジョン放送信号は、ＣＭ信号の広告回数に関する情報を含み、前記第１のテレビジョン放送信号のチャンネルが前記第２のテレビジョン放送信号のチャンネルと同一の場合、前記ＣＭ信号の広告回数が前記記録再生装置の前記ＣＭ信号の受信回数を超えているかどうかを判断し、前記受信回数が前記広告回数以下の場合、前記第２のテレビジョン放送信号に含まれるＣＭ信号を前記記録手段に記録し、前記受信回数が前記広告回数を超えている場合、前記第２のテレビジョン放送信号に含まれるＣＭ信号を記録しないことを特徴としたものである。
【００１１】
第６の技術手段は、第５の技術手段において、前記記録手段に記録されたＣＭ信号の再生回数をカウントし、該再生回数が前記広告回数になった後に、前記ＣＭ信号を前記記録手段から削除することを特徴としたものである。
【００１２】
第７の技術手段は、第１乃至第６のいずれか１の技術手段において、前記記録手段に記録された未視聴のＣＭ信号の削除処理がユーザ操作に従って選択された際に、前記未視聴のＣＭ信号が挿入されている番組信号も併せて前記記録手段から削除することを特徴としたものである。
【００１３】
第８の技術手段は、番組本編の番組信号と、該番組信号に挿入されるコマーシャルメッセージ（ＣＭ）信号とを含む第１のテレビジョン放送信号を受信するテレビジョン装置と接続可能な記録再生装置の記録再生方法において、該記録再生装置が、番組本編の番組信号と該番組信号に挿入されるＣＭ信号とを含む第２のテレビジョン放送信号を受信するステップと、該受信した第２のテレビジョン放送信号が番組信号あるいはＣＭ信号のいずれであるかを判定するステップと、ＣＭ信号と判定された場合、前記テレビジョン装置に対して該テレビジョン装置で受信している第１のテレビジョン放送信号のチャンネルを問い合わせるステップと、該問い合わせの結果に応じて前記第２のテレビジョン放送信号を記録手段に記録するステップとを有し、前記第１のテレビジョン放送信号のチャンネルが前記第２のテレビジョン放送信号のチャンネルと異なる場合、前記第２のテレビジョン放送信号に含まれるＣＭ信号と共に、該ＣＭ信号のスキップ再生を禁止するためのＣＭスキップ禁止情報を前記記録手段に記録し、同一の場合、前記第２のテレビジョン放送信号に含まれるＣＭ信号を前記記録手段に記録することを特徴としたものである。
【００１４】
第９の技術手段は、第８の技術手段において、前記第１のテレビジョン放送信号のチャンネルが前記第２のテレビジョン放送信号のチャンネルと同一の場合、前記第１のテレビジョン放送信号に含まれるＣＭ信号をユーザが視聴していることを確認するための画面を前記テレビジョン装置に表示させ、ユーザからの視聴確認がない場合、前記第２のテレビジョン放送信号に含まれるＣＭ信号と共に、該ＣＭ信号のスキップ再生を禁止するためのＣＭスキップ禁止情報を前記記録手段に記録し、視聴確認があった場合、前記第２のテレビジョン放送信号に含まれるＣＭ信号を前記記録手段に記録することを特徴としたものである。
【００１５】
第１０の技術手段は、第８又は第９の技術手段において、前記ＣＭスキップ禁止情報が付与されたＣＭ信号を再生した後に、該ＣＭ信号のＣＭスキップ禁止情報をＣＭスキップ可能に変更し、次回再生時から、前記ＣＭスキップ禁止情報が変更されたＣＭ信号をスキップ再生することを特徴としたものである。
【００１６】
第１１の技術手段は、第８の技術手段において、前記第２のテレビジョン放送信号は、ＣＭ信号の有効期限に関する情報を含み、前記第１のテレビジョン放送信号のチャンネルが前記第２のテレビジョン放送信号のチャンネルと同一の場合、前記ＣＭ信号の有効期限が経過しているかどうかを判断し、前記有効期限が経過していない場合、前記第２のテレビジョン放送信号に含まれるＣＭ信号と共に、該ＣＭ信号のスキップ再生を禁止するためのＣＭスキップ禁止情報を前記記録手段に記録し、前記有効期限が経過している場合、前記第２のテレビジョン放送信号に含まれるＣＭ信号を前記記録手段に記録することを特徴としたものである。
【００１７】
第１２の技術手段は、第１１の技術手段において、前記記録手段に記録されたＣＭ信号の有効期限をカウントし、その有効期限が経過した後に、前記ＣＭ信号のＣＭスキップ禁止情報をＣＭスキップ可能に変更し、次回再生時から、前記ＣＭスキップ禁止情報が変更されたＣＭ信号をスキップ再生することを特徴としたものである。
【００１８】
第１３の技術手段は、第８の技術手段において、前記第２のテレビジョン放送信号は、ＣＭ信号の広告回数に関する情報を含み、前記第１のテレビジョン放送信号のチャンネルが前記第２のテレビジョン放送信号のチャンネルと同一の場合、前記ＣＭ信号の広告回数が前記記録再生装置の前記ＣＭ信号の受信回数を超えているかどうかを判断し、前記受信回数が前記広告回数以下の場合、前記第２のテレビジョン放送信号に含まれるＣＭ信号と共に、該ＣＭ信号のスキップ再生を禁止するためのＣＭスキップ禁止情報を前記記録手段に記録し、前記受信回数が前記広告回数を超えている場合、前記第２のテレビジョン放送信号に含まれるＣＭ信号を前記記録手段に記録することを特徴としたものである。
【００１９】
第１４の技術手段は、第１３の技術手段において、前記記録手段に記録されたＣＭ信号の再生回数をカウントし、該再生回数が前記広告回数になった後に、前記ＣＭ信号のＣＭスキップ禁止情報をＣＭスキップ可能に変更し、次回再生時から、前記ＣＭスキップ禁止情報が変更されたＣＭ信号をスキップ再生することを特徴としたものである。
【００２０】
第１５の技術手段は、第８乃至第１４のいずれか１の技術手段において、前記ＣＭスキップ禁止情報が付与されたＣＭ信号のスキップ処理がユーザ操作に従って選択された際に、前記ＣＭスキップ禁止情報が付与されたＣＭ信号をその先頭位置から再生することを特徴としたものである。
【００２１】
第１６の技術手段は、番組本編の番組信号と、該番組信号に挿入されるコマーシャルメッセージ（ＣＭ）信号とを含む第１のテレビジョン放送信号を受信するテレビジョン装置と接続可能な記録再生装置において、該記録再生装置は、番組本編の番組信号と該番組信号に挿入されるＣＭ信号とを含む第２のテレビジョン放送信号を受信する手段と、該受信した第２のテレビジョン放送信号が番組信号あるいはＣＭ信号のいずれであるかを判定する手段と、ＣＭ信号と判定された場合、前記テレビジョン装置に対して該テレビジョン装置で受信している第１のテレビジョン放送信号のチャンネルを問い合わせる手段と、該問い合わせの結果に応じて前記第２のテレビジョン放送信号を記録手段に記録する手段とを有し、前記第１のテレビジョン放送信号のチャンネルが前記第２のテレビジョン放送信号のチャンネルと異なる場合、前記第２のテレビジョン放送信号に含まれるＣＭ信号を前記記録手段に記録し、同一の場合、前記第２のテレビジョン放送信号に含まれるＣＭ信号を記録しないことを特徴としたものである。
【００２２】
第１７の技術手段は、番組本編の番組信号と、該番組信号に挿入されるコマーシャルメッセージ（ＣＭ）信号とを含む第１のテレビジョン放送信号を受信するテレビジョン装置と接続可能な記録再生装置において、該記録再生装置は、番組本編の番組信号と該番組信号に挿入されるＣＭ信号とを含む第２のテレビジョン放送信号を受信する手段と、該受信した第２のテレビジョン放送信号が番組信号あるいはＣＭ信号のいずれであるかを判定する手段と、ＣＭ信号と判定された場合、前記テレビジョン装置に対して該テレビジョン装置で受信している第１のテレビジョン放送信号のチャンネルを問い合わせる手段と、該問い合わせの結果に応じて前記第２のテレビジョン放送信号を記録手段に記録する手段とを有し、前記第１のテレビジョン放送信号のチャンネルが前記第２のテレビジョン放送信号のチャンネルと異なる場合、前記第２のテレビジョン放送信号に含まれるＣＭ信号と共に、該ＣＭ信号のスキップ再生を禁止するためのＣＭスキップ禁止情報を前記記録手段に記録し、同一の場合、前記第２のテレビジョン放送信号に含まれるＣＭ信号を前記記録手段に記録することを特徴としたものである。
【発明の効果】
【００２３】
本発明によれば、テレビジョン装置と接続可能な記録再生装置において、番組に挿入されたＣＭ部分が、同時にテレビジョン装置で視聴されているか、録画後に視聴された場合に限り、ＣＭ部分のスキップ再生や、ＣＭ部分のみの削除を可能としたため、ＣＭ提供者にとってはＣＭ部分を視聴者に確実に視聴させることができると共に、視聴者にとってはＣＭ部分を少なくとも１回視聴すれば、ＣＭ部分のスキップ再生や削除が可能となり、繰り返し視聴する必要がなくなる。
【発明を実施するための最良の形態】
【００２４】
図１は、本発明の一実施形態に係る記録再生システムの構成例を示す図で、図中、１０はテレビジョン装置、２０は記録再生装置を示す。テレビジョン装置１０と記録再生装置２０はケーブル等を介して接続されている。テレビジョン装置１０は、放送局から送信されるテレビジョン放送信号（第１のテレビジョン放送信号）をアンテナ１１を介して受信する表示用受信部１２，受信した第１のテレビジョン放送信号を表示する表示部１３を備え、記録再生装置２０は、放送局から送信されるテレビジョン放送信号（第２のテレビジョン放送信号）をアンテナ２１を介して受信する記録用受信部２２，受信した第２のテレビジョン放送信号の記録／再生／停止等の動作を制御する動作制御部２３，第２のテレビジョン放送信号を記録するための記録部２４，ＣＭ信号の有効期限などを管理するための時計部２５を備えている。
【００２５】
記録部２４には、放送局側から送られてくるテレビジョン放送信号に含まれる番組（ＣＭ）情報２４ａ，ＣＭのスキップ再生を禁止するためのＣＭスキップ禁止フラグ２４ｂ，ＣＭに設定された有効期限２４ｃ，ＣＭに設定された広告回数に対する再生回数を示す再生回数２４ｄなどが記録される。
【００２６】
上記第１及び第２のテレビジョン放送信号は、番組本編の番組信号と、その番組信号に挿入されるＣＭ信号とを含み、テレビジョン装置１０の表示用受信部１２及び記録再生装置２０の記録用受信部２２の２つの受信部を備えているため、同じ番組を録画しながら視聴したり、ある番組を録画しながら他の番組を視聴するといった視聴形態が可能となる。
【００２７】
動作制御部２３は、記録用受信部２２で受信した第２のテレビジョン放送信号が番組信号あるいはＣＭ信号のいずれであるかを判定する手段と、ＣＭ信号と判定された場合、テレビジョン装置１０に対してテレビジョン装置１０で受信している（受信中）の第１のテレビジョン放送信号のチャンネルを問い合わせる手段と、その問い合わせの結果に応じて上記受信した第２のテレビジョン放送信号を記録部２４に記録する手段とを構成する。
【００２８】
動作制御部２３は、問い合わせの結果、テレビジョン装置１０で受信している第１のテレビジョン放送信号のチャンネルが、記録再生装置２０により受信した第２のテレビジョン放送信号のチャンネルと異なる場合、第２のテレビジョン放送信号に含まれるＣＭ信号を記録部２４に記録し、同一の場合、第２のテレビジョン放送信号に含まれるＣＭ信号の記録を行わない。
【００２９】
別の形態として、動作制御部２３は、問い合わせの結果、テレビジョン装置１０で受信している第１のテレビジョン放送信号のチャンネルが、記録再生装置２０により受信した第２のテレビジョン放送信号のチャンネルと異なる場合、第２のテレビジョン放送信号に含まれるＣＭ信号と共に、そのＣＭ信号のスキップ再生を禁止するためのＣＭスキップ禁止フラグを記録部２４に記録し、同一の場合、第２のテレビジョン放送信号に含まれるＣＭ信号を記録部２４に記録する。このように、テレビジョン装置１０で未視聴且つ記録部２４に記録されたＣＭは、再生時に視聴されない限り、ＣＭスキップ再生をすることができない。
【００３０】
動作制御部２３において、第２のテレビジョン放送信号が番組信号あるいはＣＭ信号のいずれであるかの判定は、第２のテレビジョン放送信号に含まれる番組／ＣＭを識別するための識別子を利用してもよい。この番組／ＣＭの識別子は予め放送局側でテレビジョン放送信号に付与されて送信されてくる。例えば、ＣＭ信号にはＣＭ識別子を付与し、番組には何も付与しない、あるいは、番組識別子を付与する。また、別の形態として、ステレオ／モノラル放送の音声モードを利用して番組／ＣＭを識別するようにしてもよい。
【００３１】
（第１の実施形態）
図２は、本発明の第１の実施形態に係る記録再生システムの動作例を説明するためのフロー図である。本実施形態では、録画している番組がＣＭに入ると、記録再生装置２０がテレビジョン装置１０に対してテレビジョン装置１０でどのチャンネルを受信（視聴）しているか問い合わせ、録画番組と同一の場合には当該ＣＭ部分の録画を行わないようにしている。尚、ここでは、１つの番組情報（すなわち、テレビジョン放送信号）を番組本編（番組信号）とＣＭ（ＣＭ信号）に区別して説明するものとする。
【００３２】
まず、記録再生装置２０は、自身の状態（以下、ステイタスという）を判断し（ステップＳ１）、ステイタスが停止または一時停止または録画と判断した場合、イベントの発生を検知する（ステップＳ２）。ユーザ入力のイベントが発生した場合、入力の内容を判断し（ステップＳ３）、電源入力と判断した場合、そのまま終了する。また、録画入力と判断した場合、録画する番組情報が番組本編かＣＭかを判断するために当該番組情報にＣＭ識別子が付与されているかどうかを判断する（ステップＳ４）。一方、上記ステップＳ２において、ＣＭ識別子の変更イベントが発生した場合、ステップＳ４に移行する。このＣＭ識別子の変更イベントとは、番組録画中に番組情報がＣＭから番組本編に（自動的に）移行するイベントのことをいう。
【００３３】
次に、記録再生装置２０は、上記ステップＳ４において、ＣＭ識別子が付与されていないと判断した場合（ＮＯの場合）、当該番組情報は番組本編であり、番組本編を録画する（ステップＳ５）。また、上記ステップＳ４において、ＣＭ識別子が付与されていると判断した場合（ＹＥＳの場合）、当該番組情報はＣＭであり、テレビジョン装置１０に対してテレビジョン装置１０が受信している第１のテレビジョン放送信号のチャンネルを問い合わせるための応答要求し（ステップＳ６）、テレビジョン装置１０からの応答内容を判断し（ステップＳ７）、テレビジョン装置１０で受信中の番組情報が記録再生装置２０で録画中の番組情報と異なる場合（未視聴／異なる番組の場合）、上記ＣＭを録画する（ステップＳ８）。
【００３４】
また、上記ステップＳ７において、テレビジョン装置１０で受信中の番組情報が記録再生装置２０で録画中の番組情報と同一の場合（同一番組の場合）、上記ＣＭを録画せずに待機状態となる（ステップＳ９）。次に、ステップＳ１に戻り、記録再生装置２０は自身のステイタスを判断し、以降のステップを繰り返し実行する。
【００３５】
ここで、記録再生装置２０は、記録部２４に記録された未視聴のＣＭの削除処理がユーザ操作に従って選択された際に、未視聴のＣＭが挿入されている番組本編も併せて記録部２４から削除するようにしてもよい。これにより、ＣＭが未視聴の場合には、ＣＭのみの削除を防止することができる。
【００３６】
（第２の実施形態）
図３は、本発明の第２の実施形態に係る記録再生システムの動作例を説明するためのフロー図である。本実施形態では、録画している番組がＣＭに入ると、記録再生装置２０がテレビジョン装置１０に対してテレビジョン装置１０でどのチャンネルを受信（視聴）しているか問い合わせ、録画番組と異なる場合には、当該ＣＭにＣＭスキップ禁止フラグを併せて記録し、再生時にＣＭのスキップ再生を禁止するようにしている。
【００３７】
また、問い合わせの結果、録画番組と同一の場合に、当該ＣＭにＣＭスキップ許可フラグを併せて記録し、再生時にＣＭを自動スキップするようにしてもよい。以下、ＣＭスキップ禁止フラグを記録する場合を代表例として説明する。
【００３８】
まず、記録再生装置２０は、自身のステイタスを判断し（ステップＳ１１）、ステイタスが停止または一時停止または録画と判断した場合、イベントの発生を検知する（ステップＳ１２）。ユーザ入力のイベントが発生した場合、入力の内容を判断し（ステップＳ１３）、録画入力と判断した場合、録画する番組情報が番組本編かＣＭなのかを判断するために当該番組情報にＣＭ識別子が付与されているかどうかを判断する（ステップＳ１４）。一方、上記ステップＳ１２において、ＣＭ識別子の変更イベントが発生した場合、ステップＳ１４に移行する。
【００３９】
次に、記録再生装置２０は、上記ステップＳ１４において、ＣＭ識別子が付与されていないと判断した場合（ＮＯの場合）、当該番組情報は番組本編であり、番組本編を録画する（ステップＳ１５）。また、上記ステップＳ１４において、ＣＭ識別子が付与されていると判断した場合（ＹＥＳの場合）、当該番組情報はＣＭであり、テレビジョン装置１０に対してテレビジョン装置１０が受信している第１のテレビジョン放送信号のチャンネルを問い合わせるための応答要求し（ステップＳ１６）、テレビジョン装置１０からの応答内容を判断し（ステップＳ１７）、テレビジョン装置１０で受信中の番組情報が記録再生装置２０で録画中の番組情報と異なる場合（未視聴／異なる番組の場合）、上記ＣＭを録画し（ステップＳ１８）、ＣＭスキップ禁止フラグを併せて記録する（ステップＳ１９）。また、上記ステップＳ１７において、テレビジョン装置１０で受信中の番組情報が記録再生装置２０で録画中の番組情報と同一の場合（同一番組の場合）、上記ＣＭを録画し（ステップＳ２０）、ＣＭスキップ禁止フラグを記録せずにスキップ再生可能な状態とする（ステップＳ２１）。
【００４０】
次に、ステップＳ１１に戻り、記録再生装置２０は自身のステイタスを判断し、ステイタスが早送りと判断した場合、イベントの発生を検知する（ステップＳ２５）。記録部２４の番組情報変更を検知した場合、番組情報が番組本編なのか，ＣＭなのかを判断し（ステップＳ２６）、番組本編の場合、ステップＳ１１に移行し、ＣＭの場合、ＣＭスキップ禁止フラグが付与されているかどうかを判断し（ステップＳ２７）、ＣＭスキップ禁止フラグが付与されている場合（ＹＥＳの場合）、ＣＭの先頭で停止して（ステップＳ２８）、ステップＳ１１に移行し、一方、ＣＭスキップ禁止フラグが付与されていない場合（ＮＯの場合）、ステップＳ１１に移行する。
【００４１】
また、ステップＳ１１において、記録再生装置２０は自身のステイタスを判断し、ステイタスが再生と判断した場合、イベントの発生を検知する（ステップＳ２９）。ユーザ入力を検知した場合、ステップＳ１３に移行し、記録部２４の番組情報変更を検知した場合、番組情報が番組本編なのか，ＣＭなのかを判断し（ステップＳ３０）、番組本編の場合、ステップＳ１１に移行し、一方、ＣＭの場合、記録部２４のＣＭスキップ禁止フラグをＣＭスキップ可能に変更し（ステップＳ３１）、ステップＳ１１に移行する。このように、ＣＭスキップ禁止情報が付与されたＣＭ信号を再生した後に、そのＣＭ信号のＣＭスキップ禁止情報をＣＭスキップ可能に変更し、次回再生時から、ＣＭスキップ禁止情報が変更されたＣＭ信号をスキップ再生することができる。
【００４２】
また、ステップＳ１３において、ユーザ入力の内容が再生入力と判断した場合、番組情報を再生し（ステップＳ２２）、ステップＳ３０に移行する。また、ステップＳ１３において、早送り入力と判断した場合、ＣＭスキップ禁止フラグが付与されているかどうかを判断し（ステップＳ２４）、ＣＭスキップ禁止フラグが付与されていないと判断した場合（ＮＯの場合）、番組情報を早送りして（ステップＳ２４）、ステップＳ１１に移行し、一方、ＣＭスキップ禁止フラグが付与されていると判断した場合（ＹＥＳの場合）、ステップＳ２８に移行する。
【００４３】
ここで、記録再生装置２０は、ＣＭスキップ禁止フラグが付与されたＣＭのスキップ処理がユーザ操作に従って選択された際に、ＣＭスキップ禁止フラグが付与されたＣＭを、その先頭位置から再生するようにしている。これにより、視聴者はＣＭを少なくとも１回視聴することになる。
【００４４】
（第３の実施形態）
図４は、本発明の第３の実施形態に係る記録再生システムの動作例を説明するためのフロー図である。本実施形態では、録画している番組がＣＭに入ると、記録再生装置２０がテレビジョン装置１０に対してテレビジョン装置１０でどのチャンネルを受信（視聴）しているか問い合わせ、録画番組と同一の場合にはＣＭを視聴しているかどうかを確認するための画面をテレビジョン装置１０に表示させ、視聴確認があった場合に当該ＣＭ部分の録画を行わないようにしている。尚、ＣＭを視聴しているかどうかを確認するための画面は、例えば、ＣＭの開始時及び／又は終了時などに表示させるようにする。
【００４５】
まず、記録再生装置２０は、自身のステイタスを判断し（ステップＳ４１）、ステイタスが停止または一時停止または録画と判断した場合、イベントの発生を検知する（ステップＳ４２）。ユーザ入力のイベントが発生した場合、入力の内容を判断し（ステップＳ４３）、電源入力と判断した場合、そのまま終了する。また、録画入力と判断した場合、録画する番組情報が番組本編かＣＭかを判断するために当該番組情報にＣＭ識別子が付与されているかどうかを判断する（ステップＳ４４）。一方、上記ステップＳ４２において、ＣＭ識別子の変更イベントが発生した場合、ステップＳ４４に移行する。
【００４６】
次に、記録再生装置２０は、上記ステップＳ４４において、ＣＭ識別子が付与されていないと判断した場合（ＮＯの場合）、当該番組情報は番組本編であり、番組本編を録画する（ステップＳ４５）。また、上記ステップＳ４４において、ＣＭ識別子が付与されていると判断した場合（ＹＥＳの場合）、当該番組情報はＣＭであり、テレビジョン装置１０に対してテレビジョン装置１０が受信している第１のテレビジョン放送信号のチャンネルを問い合わせるための応答要求し（ステップＳ４６）、テレビジョン装置１０からの応答内容を判断し（ステップＳ４７）、テレビジョン装置１０で受信中の番組情報が記録再生装置２０で録画中の番組情報と異なる場合（未視聴／異なる番組の場合）、上記ＣＭを録画する（ステップＳ４８）。
【００４７】
また、上記ステップＳ４７において、テレビジョン装置１０で受信中の番組情報が記録再生装置２０で録画中の番組情報と同一の場合（同一番組の場合）、ユーザの視聴確認があったかどうかを判断し（ステップＳ４９）、ユーザの視聴確認がない場合（ＮＯの場合）、ステップＳ４８に移行してＣＭを録画し、ユーザの視聴確認があった場合（ＹＥＳの場合）、上記ＣＭを録画せずに待機状態とする（ステップＳ５０）。次に、ステップＳ４１に戻り、記録再生装置２０は自身のステイタスを判断し、以降のステップを繰り返し実行する。
【００４８】
（第４の実施形態）
図５は、本発明の第４の実施形態に係る記録再生システムの動作例を説明するためのフロー図である。本実施形態では、録画している番組がＣＭに入ると、記録再生装置２０がテレビジョン装置１０に対してテレビジョン装置１０でどのチャンネルを受信（視聴）しているか問い合わせ、録画番組と異なる場合には、当該ＣＭにＣＭスキップ禁止フラグを併せて記録し、再生時にＣＭのスキップ再生を禁止し、さらに、録画番組と同一の場合には、ＣＭを視聴しているかどうかを確認するための画面をテレビジョン装置１０に表示させ、視聴確認がない場合には、当該ＣＭにＣＭスキップ禁止フラグを併せて記録し、再生時にＣＭのスキップ再生を禁止するようにしている。
【００４９】
また、録画番組と同一の場合には、当該ＣＭにＣＭスキップ許可フラグを併せて記録し、再生時にＣＭを自動スキップするようにしてもよい。以下、ＣＭスキップ禁止フラグを記録する場合を代表例として説明する。尚、ＣＭを視聴しているかどうかを確認するための画面は、例えば、ＣＭの開始時及び／又は終了時などに表示させるようにする。
【００５０】
まず、記録再生装置２０は、自身のステイタスを判断し（ステップＳ５１）、ステイタスが停止または一時停止または録画と判断した場合、イベントの発生を検知する（ステップＳ５２）。ユーザ入力のイベントが発生した場合、入力の内容を判断し（ステップＳ５３）、録画入力と判断した場合、録画する番組情報が番組本編かＣＭなのかを判断するために当該番組情報にＣＭ識別子が付与されているかどうかを判断する（ステップＳ５４）。一方、上記ステップＳ５２において、ＣＭ識別子の変更イベントが発生した場合、ステップＳ５４に移行する。
【００５１】
次に、記録再生装置２０は、上記ステップＳ５４において、ＣＭ識別子が付与されていないと判断した場合（ＮＯの場合）、当該番組情報は番組本編であり、番組本編を録画する（ステップＳ５５）。また、上記ステップＳ５４において、ＣＭ識別子が付与されていると判断した場合（ＹＥＳの場合）、当該番組情報はＣＭであり、テレビジョン装置１０に対してテレビジョン装置１０が受信している第１のテレビジョン放送信号のチャンネルを問い合わせるための応答要求し（ステップＳ５６）、テレビジョン装置１０からの応答内容を判断し（ステップＳ５７）、テレビジョン装置１０で受信中の番組情報が記録再生装置２０で録画中の番組情報と異なる場合（未視聴／異なる番組の場合）、上記ＣＭを録画し（ステップＳ５８）、ＣＭスキップ禁止フラグを併せて記録する（ステップＳ５９）。
【００５２】
また、上記ステップＳ５７において、テレビジョン装置１０で受信中の番組情報が記録再生装置２０で録画中の番組情報と同一の場合（同一番組の場合）、ユーザの視聴確認があったかどうかを判断し（ステップＳ６０）、ユーザの視聴確認がない場合（ＮＯの場合）、ステップＳ５８に移行し、ユーザの視聴確認があった場合（ＹＥＳの場合）、上記ＣＭを録画し（ステップＳ６１）、ＣＭスキップ禁止フラグを記録せずにスキップ再生可能な状態とする（ステップＳ６２）。
【００５３】
次に、ステップＳ５１に戻り、記録再生装置２０は自身のステイタスを判断し、ステイタスが早送りと判断した場合、イベントの発生を検知する（ステップＳ６６）。記録部２４の番組情報変更を検知した場合、番組情報が番組本編なのか，ＣＭなのかを判断し（ステップＳ６７）、番組本編の場合、ステップＳ５１に移行し、一方、ＣＭの場合、ＣＭスキップ禁止フラグが付与されているかどうかを判断し（ステップＳ６８）、ＣＭスキップ禁止フラグが付与されている場合（ＹＥＳの場合）、ＣＭの先頭で停止して（ステップＳ６９）、ステップＳ５１に移行し、一方、ＣＭスキップ禁止フラグが付与されていない場合（ＮＯの場合）、ステップＳ５１に移行する。
【００５４】
また、ステップＳ５１において、記録再生装置２０は自身のステイタスを判断し、ステイタスが再生と判断した場合、イベントの発生を検知する（ステップＳ７０）。ユーザ入力を検知した場合、ステップＳ５３に移行し、記録部２４の番組情報変更を検知した場合、番組情報が番組本編なのか，ＣＭなのかを判断し（ステップＳ７１）、番組本編の場合、ステップＳ５１に移行し、一方、ＣＭの場合、記録部２４のＣＭスキップ禁止フラグをＣＭスキップ可能に変更し（ステップＳ７２）、ステップＳ５１に移行する。このように、ＣＭスキップ禁止情報が付与されたＣＭ信号を再生した後に、そのＣＭ信号のＣＭスキップ禁止フラグをＣＭスキップ可能に変更し、次回再生時から、ＣＭスキップ禁止フラグが変更されたＣＭ信号をスキップ再生することができる。
【００５５】
また、ステップＳ５３において、ユーザ入力の内容が再生入力と判断した場合、番組情報を再生し（ステップＳ６３）、ステップＳ７１に移行する。また、ステップＳ５３において、早送り入力と判断した場合、ＣＭスキップ禁止フラグが付与されているかどうかを判断し（ステップＳ６４）、ＣＭスキップ禁止フラグが付与されていないと判断した場合（ＮＯの場合）、番組情報を早送りし（ステップＳ６５）、ステップＳ５１に移行し、一方、ＣＭスキップ禁止フラグが付与されていると判断した場合（ＹＥＳの場合）、ステップＳ６９に移行する。
【００５６】
（第５の実施形態）
図６は、本発明の第５の実施形態に係る記録再生システムの動作例を説明するためのフロー図である。本実施形態では、放送局側においてＣＭに有効期限を予め設定しておき、有効期限を過ぎたＣＭは記録再生装置から自動的に削除されるようにしている。
【００５７】
まず、記録再生装置２０は、自身のステイタスを判断し（ステップＳ８１）、ステイタスが停止または一時停止または録画と判断した場合、イベントの発生を検知する（ステップＳ８２）。ユーザ入力のイベントが発生した場合、入力の内容を判断し（ステップＳ８３）、電源入力と判断した場合、そのまま終了する。また、録画入力と判断した場合、録画する番組情報が番組本編かＣＭかを判断するために当該番組情報にＣＭ識別子が付与されているかどうかを判断する（ステップＳ８４）。一方、上記ステップＳ８２において、ＣＭ識別子の変更イベントが発生した場合、ステップＳ８４に移行する。
【００５８】
次に、記録再生装置２０は、上記ステップＳ８４において、ＣＭ識別子が付与されていないと判断した場合（ＮＯの場合）、当該番組情報は番組本編であり、番組本編を録画する（ステップＳ８５）。また、上記ステップＳ８４において、ＣＭ識別子が付与されていると判断した場合（ＹＥＳの場合）、当該番組情報はＣＭであり、テレビジョン装置１０に対してテレビジョン装置１０が受信している第１のテレビジョン放送信号のチャンネルを問い合わせるための応答要求し（ステップＳ８６）、テレビジョン装置１０からの応答内容を判断し（ステップＳ８７）、テレビジョン装置１０で受信中の番組情報が記録再生装置２０で録画中の番組情報と異なる場合（未視聴／異なる番組の場合）、上記ＣＭを録画する（ステップＳ８８）。
【００５９】
また、上記ステップＳ８７において、テレビジョン装置１０で受信中の番組情報が記録再生装置２０で録画中の番組情報と同一の場合（同一番組の場合）、ＣＭの有効期限が（現在日時と比較して）経過しているかどうかを判断し（ステップＳ８９）、有効期限が経過していない場合（ＮＯの場合）、ステップＳ８８に移行してＣＭを録画し、有効期限が経過している場合（ＹＥＳの場合）、上記ＣＭを録画せずに待機状態とする（ステップＳ９０）。次に、ステップＳ８１に戻り、記録再生装置２０は自身のステイタスを判断し、以降のステップを繰り返し実行する。また、ステップＳ８２において、記録部２４に記録されたＣＭの有効期限が経過した場合、該当ＣＭを記録部２４から自動的に削除する（ステップＳ９１）。尚、上記ＣＭの有効期限は、時計部２５によりカウントされ、有効期限になって時点で動作制御部２３が削除処理を実行する。
【００６０】
（第６の実施形態）
図７は、本発明の第６の実施形態に係る記録再生システムの動作例を説明するためのフロー図である。本実施形態では、放送局側においてＣＭに有効期限を予め設定しておき、有効期限を過ぎたＣＭは自動的にスキップ再生できるようにしている。
【００６１】
まず、記録再生装置２０は、自身のステイタスを判断し（ステップＳ１０１）、ステイタスが停止または一時停止または録画と判断した場合、イベントの発生を検知する（ステップＳ１０２）。ユーザ入力のイベントが発生した場合、入力の内容を判断し（ステップＳ１０３）、録画入力と判断した場合、録画する番組情報が番組本編かＣＭなのかを判断するために当該番組情報にＣＭ識別子が付与されているかどうかを判断する（ステップＳ１０４）。一方、上記ステップＳ１０２において、ＣＭ識別子の変更イベントが発生した場合、ステップＳ１０４に移行する。
【００６２】
次に、記録再生装置２０は、上記ステップＳ１０４において、ＣＭ識別子が付与されていないと判断した場合（ＮＯの場合）、当該番組情報は番組本編であり、番組本編を録画する（ステップＳ１０５）。また、上記ステップＳ１０４において、ＣＭ識別子が付与されていると判断した場合（ＹＥＳの場合）、当該番組情報はＣＭであり、テレビジョン装置１０に対してテレビジョン装置１０が受信している第１のテレビジョン放送信号のチャンネルを問い合わせるための応答要求し（ステップＳ１０６）、テレビジョン装置１０からの応答内容を判断し（ステップＳ１０７）、テレビジョン装置１０で受信中の番組情報が記録再生装置２０で録画中の番組情報と異なる場合（未視聴／異なる番組の場合）、上記ＣＭを録画し（ステップＳ１０８）、ＣＭスキップ禁止フラグを併せて記録する（ステップＳ１０９）。
【００６３】
また、上記ステップＳ１０７において、テレビジョン装置１０で受信中の番組情報が記録再生装置２０で録画中の番組情報と同一の場合（同一番組の場合）、ＣＭを録画し（ステップＳ１１０）、当該ＣＭの有効期限が（現在日時と比較して）経過しているかどうかを判断し（ステップＳ１１１）、有効期限が経過していない場合（ＮＯの場合）、ステップＳ１０９に移行して当該ＣＭのＣＭスキップ禁止フラグを記録し、有効期限が経過している場合（ＹＥＳの場合）、ＣＭスキップ禁止フラグを記録せずにスキップ再生可能な状態とする（ステップＳ１１２）。
【００６４】
次に、ステップＳ１０１に戻り、記録再生装置２０は自身のステイタスを判断し、ステイタスが早送りと判断した場合、イベントの発生を検知する（ステップＳ１１６）。記録部２４の番組情報変更を検知した場合、番組情報が番組本編なのか，ＣＭなのかを判断し（ステップＳ１１７）、番組本編の場合、ステップＳ１０１に移行し、一方、ＣＭの場合、ＣＭスキップ禁止フラグが付与されているかどうかを判断し（ステップＳ１１８）、ＣＭスキップ禁止フラグが付与されている場合（ＹＥＳの場合）、ＣＭの先頭で停止して（ステップＳ１１９）、ステップＳ１０１に移行し、一方、ＣＭスキップ禁止フラグが付与されていない場合（ＮＯの場合）、ステップＳ１０１に移行する。
【００６５】
また、ステップＳ１０２において、記録部２４に記録されたＣＭの有効期限が経過した場合、該当ＣＭのＣＭスキップ禁止フラグを変更して（ステップＳ１２０）、ステップＳ１０１に移行する。このように、ＣＭスキップ禁止フラグが付与されたＣＭ信号の有効期限が経過した後に、そのＣＭ信号のＣＭスキップ禁止フラグをＣＭスキップ可能に変更し、次回再生時から、ＣＭスキップ禁止フラグが変更されたＣＭ信号をスキップ再生することができる。
【００６６】
また、ステップＳ１０３において、ユーザ入力の内容が再生入力と判断した場合、番組情報を再生し（ステップＳ１１３）、ステップＳ１０１に移行する。また、ステップＳ１０３において、早送り入力と判断した場合、ＣＭスキップ禁止フラグが付与されているかどうかを判断し（ステップＳ１１４）、ＣＭスキップ禁止フラグが付与されていないと判断した場合（ＮＯの場合）、番組情報を早送りし（ステップＳ１１５）、ＣＭスキップ禁止フラグが付与されていると判断した場合（ＹＥＳの場合）、ステップＳ１１９に移行する。
【００６７】
（第７の実施形態）
図８は、本発明の第７の実施形態に係る記録再生システムの動作例を説明するためのフロー図である。本実施形態では、放送局側においてＣＭに広告回数を予め設定しておき、広告回数以上再生されたＣＭは記録再生装置から自動的に削除されるようにしている。広告回数とは、当該ＣＭを視聴あるいは再生させる回数であり、ＣＭ毎に設定可能とする。
【００６８】
まず、記録再生装置２０は、自身のステイタスを判断し（ステップＳ１２１）、ステイタスが停止または一時停止または録画と判断した場合、イベントの発生を検知する（ステップＳ１２２）。ユーザ入力のイベントが発生した場合、入力の内容を判断し（ステップＳ１２３）、録画入力と判断した場合、録画する番組情報が番組本編かＣＭなのかを判断するために当該番組情報にＣＭ識別子が付与されているかどうかを判断する（ステップＳ１２４）。一方、上記ステップＳ１２２において、ＣＭ識別子の変更イベントが発生した場合、ステップＳ１２４に移行する。
【００６９】
次に、記録再生装置２０は、上記ステップＳ１２４において、ＣＭ識別子が付与されていないと判断した場合（ＮＯの場合）、当該番組情報は番組本編であり、番組本編を録画する（ステップＳ１２５）。また、上記ステップＳ１２４において、ＣＭ識別子が付与されていると判断した場合（ＹＥＳの場合）、当該番組情報はＣＭであり、テレビジョン装置１０に対してテレビジョン装置１０が受信している第１のテレビジョン放送信号のチャンネルを問い合わせるための応答要求し（ステップＳ１２６）、テレビジョン装置１０からの応答内容を判断し（ステップＳ１２７）、テレビジョン装置１０で受信中の番組情報が記録再生装置２０で録画中の番組情報と異なる場合（未視聴／異なる番組の場合）、上記ＣＭを録画する（ステップＳ１２８）。
【００７０】
また、上記ステップＳ１２７において、テレビジョン装置１０で受信中の番組情報が記録再生装置２０で録画中の番組情報と同一の場合（同一番組の場合）、当該ＣＭが１回視聴されたと判断し、広告回数を“１”減算し（ステップＳ１２９）、その広告回数が“０”か，それ以外かを判断し（ステップＳ１３０）、広告回数がそれ以外の場合（ｅｌｓｅの場合）、ステップＳ１２８に移行し、広告回数が“０”の場合（０の場合）、上記ＣＭを録画せずに待機状態とする（ステップＳ１３１）。
【００７１】
次に、ステップＳ１２１に戻り、記録再生装置２０は自身のステイタスを判断し、ステイタスが再生と判断した場合、イベントの発生を検知する（ステップＳ１３６）。ユーザ入力を検知した場合、ステップＳ１２３に移行し、一方、記録部２４の番組情報変更を検知した場合、番組情報が番組本編なのか，ＣＭなのかを判断し（ステップＳ１３７）、番組本編の場合、ステップＳ１２１に移行し、一方、ＣＭの場合、当該ＣＭが１回再生されたと判断し、広告回数を“１”減算し（ステップＳ１３８）、広告回数が“０”か，それ以外かを判断し（ステップＳ１３９）、広告回数がそれ以外の場合（ｅｌｓｅの場合）、ステップＳ１２１に移行し、広告回数が“０”の場合（０の場合）、再生後広告回数が“０”となったＣＭを削除して（ステップＳ１４０）、ステップＳ１２１に移行する。
【００７２】
また、ステップＳ１２３において、ユーザ入力の内容が再生入力と判断した場合、番組情報を再生し（ステップＳ１３２）、ステップＳ１３７に移行する。また、ステップＳ１２３において、早送り入力と判断した場合、ＣＭスキップ禁止フラグが付与されているかどうかを判断し（ステップＳ１３３）、ＣＭスキップ禁止フラグが付与されていないと判断した場合（ＮＯの場合）、番組情報を早送りし（ステップＳ１３４）、ステップＳ１２１に移行し、一方、ＣＭスキップ禁止フラグが付与されていると判断した場合（ＹＥＳの場合）、早送りを停止して（ステップＳ１３５）、ステップＳ１２１に移行する。
【００７３】
（第８の実施形態）
図９は、本発明の第８の実施形態に係る記録再生システムの動作例を説明するためのフロー図である。本実施形態では、放送局側においてＣＭに広告回数を予め設定しておき、広告回数再生されたＣＭは次回の再生時から自動スキップされるようにしている。
【００７４】
まず、記録再生装置２０は、自身のステイタスを判断し（ステップＳ１４１）、ステイタスが停止または一時停止または録画と判断した場合、イベントの発生を検知する（ステップＳ１４２）。ユーザ入力のイベントが発生した場合、入力の内容を判断し（ステップＳ１４３）、録画入力と判断した場合、録画する番組情報が番組本編かＣＭなのかを判断するために当該番組情報にＣＭ識別子が付与されているかどうかを判断する（ステップＳ１４４）。一方、上記ステップＳ１４２において、ＣＭ識別子の変更イベントが発生した場合、ステップＳ１４４に移行する。
【００７５】
次に、記録再生装置２０は、上記ステップＳ１４４において、ＣＭ識別子が付与されていないと判断した場合（ＮＯの場合）、当該番組情報は番組本編であり、番組本編を録画する（ステップＳ１４５）。また、上記ステップＳ１４４において、ＣＭ識別子が付与されていると判断した場合（ＹＥＳの場合）、当該番組情報はＣＭであり、テレビジョン装置１０に対してテレビジョン装置１０が受信している第１のテレビジョン放送信号のチャンネルを問い合わせるための応答要求し（ステップＳ１４６）、テレビジョン装置１０からの応答内容を判断し（ステップＳ１４７）、テレビジョン装置１０で受信中の番組情報が記録再生装置２０で録画中の番組情報と異なる場合（未視聴／異なる番組の場合）、上記ＣＭを録画し（ステップＳ１４８）、ＣＭスキップ禁止フラグを併せて記録する（ステップＳ１４９）。
【００７６】
また、上記ステップＳ１４７において、テレビジョン装置１０で受信中の番組情報が記録再生装置２０で録画中の番組情報と同一の場合（同一番組の場合）、当該ＣＭが１回視聴されたと判断し、広告回数を“１”減算し（ステップＳ１５０）、ＣＭを録画し（ステップＳ１５１）、広告回数が“０”か，それ以外かを判断し（ステップＳ１５２）、広告回数がそれ以外の場合（ｅｌｓｅの場合）、ステップＳ１４９に移行し、広告回数が“０”の場合（０の場合）、ＣＭスキップ禁止フラグを記録せずにスキップ再生可能な状態とする（ステップＳ１５３）。
【００７７】
次に、ステップＳ１４１に戻り、記録再生装置２０は自身のステイタスを判断し、ステイタスが早送りと判断した場合、イベントの発生を検知する（ステップＳ１５７）。記録部２４の番組情報変更を検知した場合、番組情報が番組本編なのか，ＣＭなのかを判断し（ステップＳ１５８）、番組本編の場合、ステップＳ１４１に移行し、一方、ＣＭの場合、ＣＭスキップ禁止フラグが付与されているかどうかを判断し（ステップＳ１５９）、ＣＭスキップ禁止フラグが付与されている場合（ＹＥＳの場合）、ＣＭの先頭で停止して（ステップＳ１６０）、ステップＳ１４１に移行し、一方、ＣＭスキップ禁止フラグが付与されていない場合（ＮＯの場合）、ステップＳ１４１に移行する。
【００７８】
また、ステップＳ１４１において、記録再生装置２０は自身のステイタスを判断し、ステイタスが再生と判断した場合、イベントの発生を検知する（ステップＳ１６１）。ユーザ入力を検知した場合、ステップＳ１４３に移行し、一方、記録部２４の番組情報変更を検知した場合、番組情報が番組本編なのか，ＣＭなのかを判断し（ステップＳ１６２）、番組本編の場合、ステップＳ１４１に移行し、一方、ＣＭの場合、当該ＣＭが１回再生されたと判断し、広告回数を“１”減算し（ステップＳ１６３）、広告回数が“０”か，それ以外かを判断し（ステップＳ１６４）、広告回数がそれ以外の場合（ｅｌｓｅの場合）、ステップＳ１４１に移行し、一方、広告回数が“０”の場合（０の場合）、記録部２４のＣＭスキップ禁止フラグをＣＭスキップ可能に変更して（ステップＳ１６５）、ステップＳ１４１に移行する。このように、ＣＭスキップ禁止情報が付与されたＣＭ信号を再生した後に、そのＣＭ信号のＣＭスキップ禁止フラグをＣＭスキップ可能に変更し、次回再生時から、ＣＭスキップ禁止フラグが変更されたＣＭ信号をスキップ再生することができる。
【００７９】
また、ステップＳ１４３において、ユーザ入力の内容が再生入力と判断した場合、番組情報を再生し（ステップＳ１５４）、ステップＳ１６２に移行する。また、ステップＳ１４３において、早送り入力と判断した場合、ＣＭスキップ禁止フラグが付与されているかどうかを判断し（ステップＳ１５５）、ＣＭスキップ禁止フラグが付与されていないと判断した場合（ＮＯの場合）、番組情報を早送りし（ステップＳ１５６）、一方、ＣＭスキップ禁止フラグが付与されていると判断した場合（ＹＥＳの場合）、ステップＳ１６０に移行する。
【００８０】
以上、各実施形態において説明したように、テレビジョン装置と接続可能な記録再生装置において、番組に挿入されたＣＭ部分が、同時にテレビジョン装置で視聴されているか、録画後に視聴された場合に限り、ＣＭ部分のスキップ再生や、ＣＭ部分のみの削除を可能としたため、ＣＭ提供者にとってはＣＭ部分を視聴者に確実に視聴させることができると共に、視聴者にとってはＣＭ部分を少なくとも１回視聴すれば、ＣＭ部分のスキップ再生や削除が可能となり、繰り返し視聴する必要がなくなる。
【図面の簡単な説明】
【００８１】
【図１】本発明の一実施形態に係る記録再生システムの構成例を示す図である。
【図２】本発明の第１の実施形態に係る記録再生システムの動作例を説明するためのフロー図である。
【図３】本発明の第２の実施形態に係る記録再生システムの動作例を説明するためのフロー図である。
【図４】本発明の第３の実施形態に係る記録再生システムの動作例を説明するためのフロー図である。
【図５】本発明の第４の実施形態に係る記録再生システムの動作例を説明するためのフロー図である。
【図６】本発明の第５の実施形態に係る記録再生システムの動作例を説明するためのフロー図である。
【図７】本発明の第６の実施形態に係る記録再生システムの動作例を説明するためのフロー図である。
【図８】本発明の第７の実施形態に係る記録再生システムの動作例を説明するためのフロー図である。
【図９】本発明の第８の実施形態に係る記録再生システムの動作例を説明するためのフロー図である。
【符号の説明】
【００８２】
１０…テレビジョン装置、１１，２１…アンテナ、１２…表示用受信部、１３…表示部、２０…記録再生装置、２２…記録用受信部、２３…動作制御部、２４…記録部、２４ａ…番組（ＣＭ）情報、２４ｂ…ＣＭスキップ禁止フラグ、２４ｃ…有効期限、２４ｄ…再生回数、２５…時計部。
【図１】
2006165606.tif 000003
【図２】
2006165606.tif 000004
【図３】
2006165606.tif 000005
【図４】
2006165606.tif 000006
【図５】
2006165606.tif 000007
【図６】
2006165606.tif 000008
【図７】
2006165606.tif 000009
【図８】
2006165606.tif 000010
【図９】
2006165606.tif 000011